(57)【要約】  本発明は、表示パネル、表示スクリーン及び表示端末に関する。表示パネルは、基板と、基板上に設けられた第１画素電極と、第１画素電極の前記基板から離れた側に設けられており、前記第１画素電極の表面の一部を露出するための複数の画素開口部を含む画素定義層と、画素定義層上に設けられた第１種の分離柱と、を含む。第１種の分離柱の延在方向において、第１種の分離柱の幅は連続的又は断続的に変化する。第１種の分離柱の延在方向は基板に平行であり、その幅は、第１種の分離柱の基板における投影の、該第１種の分離柱の延在方向に垂直な方向の寸法である。
2021503631.tif 000002
【特許請求の範囲】
【請求項１】
表示パネルであって、
基板と、
前記基板上に設けられた第１画素電極と、
前記第１画素電極の前記基板から離れた側に設けられており、前記第１画素電極の表面の一部を露出するための複数の画素開口部を含む画素定義層と、
前記画素定義層の前記第１画素電極から離れた側に設けられた複数の第１種の分離柱と、
を含み、
前記第１種の分離柱の延在方向は前記基板に平行であり、当該延在方向において、前記第１種の分離柱の幅は連続的又は断続的に変化し、前記幅は、前記第１種の分離柱の前記基板における投影の、前記第１種の分離柱の延在方向に垂直な方向の寸法である、ことを特徴とする表示パネル。
【請求項２】
複数の前記第１種の分離柱が前記基板に並列に配置されている、ことを特徴とする請求項１に記載の表示パネル。
【請求項３】
前記表示パネルはＰＭＯＬＥＤ表示パネルである、ことを特徴とする請求項１に記載の表示パネル。
【請求項４】
前記第１画素電極の材料は、インジウムスズ酸化物、インジウム亜鉛酸化物、銀ドープインジウムスズ酸化物、銀ドープインジウム亜鉛酸化物のうち少なくとも１つから選択されるものである、ことを特徴とする請求項１に記載の表示パネル。
【請求項５】
複数の第２種の分離柱をさらに含み、
前記第２種の分離柱は、ストリップ状であり、前記第１種の分離柱と間隔をおいて設けられている、ことを特徴とする請求項１に記載の表示パネル。
【請求項６】
前記第１種の分離柱は、前記画素定義層に接する底面と、前記底面の反対側に設けられた上面とを含み、前記第１種の分離柱の延在方向に垂直な方向において、前記上面の幅は前記底面の幅以上であり、前記上面は、前記第１種の分離柱の延在方向に沿って変化する幅を有する、ことを特徴とする請求項１に記載の表示パネル。
【請求項７】
前記第１種の分離柱の上面の、前記第１種の分離柱の延在方向に沿った２つの側辺のうち少なくとも一方は、折れ線、円弧、半円形、及び波形のうち少なくとも１つの形状を有する、ことを特徴とする請求項６に記載の表示パネル。
【請求項８】
前記底面は前記上面に平行であり、前記底面の形状は前記上面の形状とほぼ同じである、ことを特徴とする請求項７に記載の表示パネル。
【請求項９】
前記第１種の分離柱は、前記底面と前記上面に繋がる２つの側面をさらに含み、各側面の前記基板における投影は、前記側辺の前記基板における投影と重なっている、ことを特徴とする請求項７に記載の表示パネル。
【請求項１０】
前記側辺の形状は、開口方向の同じである複数の半円形の縁部が繋がることにより形成され、前記縁部の開口部は副画素領域を向いている、ことを特徴とする請求項７に記載の表示パネル。
【請求項１１】
前記画素開口部の前記基板における投影は、１つの図形ユニット又は互いに繋がる２つ以上の図形ユニットであり、前記図形ユニットは、円形、楕円形、又はダンベル状である、ことを特徴とする請求項１に記載の表示パネル。
【請求項１２】
前記第１画素電極の前記基板から離れた側に設けられた発光構造層と、前記発光構造層の前記第１画素電極から離れた側に設けられた第２画素電極とをさらに含み、前記第１画素電極の延在方向は前記第２画素電極の延在方向に対して垂直である、ことを特徴とする請求項１に記載の表示パネル。
【請求項１３】
前記第２画素電極の材料は、インジウムスズ酸化物、インジウム亜鉛酸化物、銀ドープインジウムスズ酸化物、銀ドープインジウム亜鉛酸化物のうち少なくとも１つから選択されるものである、ことを特徴とする請求項１２に記載の表示パネル。
【請求項１４】
表示スクリーンであって、
画面を表示するための第１表示領域と、
前記第１表示領域に設けられた請求項１〜１３のいずれか一項に記載の表示パネルと、
を含む、ことを特徴とする表示スクリーン。
【請求項１５】
前記第１表示領域に隣接する第２表示領域と、
前記第２表示領域に設けられた第２表示パネルと、
を含み、
前記表示パネルはＰＭＯＬＥＤ表示パネル又はＡＭＯＬＥＤ表示パネルであり、前記第２表示パネルはＡＭＯＬＥＤ表示パネルである、ことを特徴とする請求項１４に記載の表示スクリーン。
【請求項１６】
前記第１表示領域の光透過率は前記第２表示領域の光透過率よりも大きい、ことを特徴とする請求項１５に記載の表示スクリーン。
【請求項１７】
前記第１表示領域の光透過率は前記第２表示領域の光透過率と同じである、ことを特徴とする請求項１５に記載の表示スクリーン。
【請求項１８】
表示端末であって、
デバイス領域を有する機器本体と、
前記機器本体上に設けられた請求項１４に記載の表示スクリーンと、
を含み、
前記デバイス領域は前記第１表示領域の下方に位置し、前記デバイス領域に感光性デバイスが設けられている、ことを特徴とする表示端末。
【請求項１９】
前記デバイス領域はノッチ領域であり、前記感光性デバイスはカメラ又は光センサを含む、ことを特徴とする請求項１８に記載の表示端末。
【発明の詳細な説明】
【技術分野】
【０００１】
本発明は、表示技術に関し、特に表示パネル、表示スクリーン及び表示端末に関する。
【０００２】
本出願は、２０１８年０８月０６日に出願された「表示パネル、表示スクリーン及び表示端末」という名称の中国特許出願第２０１８１０８８７６５２．Ｘ号を優先権の基礎とし、その全体を参照することで本出願に組み込む。
【背景技術】
【０００３】
電子機器の急速な発展に伴い、画面占有率に関するユーザー要望がますます高くなり、ベゼルレス表示可能な電子機器が業界からますます注目されている。例えば携帯電話やタブレットなどの従来の電子機器には、フロントカメラ、スピーカー、赤外線センシング素子などのデバイスが統合される必要があるため、通常、表示スクリーンにノッチ（Ｎｏｔｃｈ）をつけ、ノッチ領域に透明な表示スクリーンを設けることで、電子機器のベゼルレス表示を実現する。
【発明の概要】
【発明が解決しようとする課題】
【０００４】
本発明の例示的な実施例は、表示パネル、表示スクリーン及び表示端末を提供する。
【課題を解決するための手段】
【０００５】
本発明による表示パネルは、基板と、基板上に設けられた第１画素電極と、第１画素電極の前記基板から離れた側に設けられた画素定義層と、前記画素定義層上に設けられた複数の第１種の分離柱と、を含む。前記画素定義層は、第１画素電極の表面の一部を露出するための複数の画素開口部を含む。第１種の分離柱の延在方向において、第１種の分離柱の幅は連続的又は断続的に変化する。第１種の分離柱の延在方向は基板に平行であり、第１種の分離柱の幅は、第１種の分離柱の基板における投影の、第１種の分離柱の延在方向に垂直な方向の寸法である。
【図面の簡単な説明】
【０００６】
【図１】一例示的な実施例における表示パネルの断面図である。
【図２】一例示的な実施例における第１種の分離柱の平面図である。
【図３】他の例示的な実施例における第１種の分離柱の平面図である。
【図４】他の例示的な実施例における第１種の分離柱の平面図である。
【図５】一例示的な実施例における画素定義層の模式図である。
【図６】一例示的な実施例における第１種の分離柱と第２種の分離柱とが間隔をおいて設けられていることを示す模式図である。
【図７】一例示的な実施例における表示スクリーンの模式図である。
【図８】一例示的な実施例における表示端末の模式図である。
【図９】一例示的な実施例における機器本体の模式図である。
【発明を実施するための形態】
【０００７】
本発明の目的、技術案及び利点をより明確にするために、以下、添付図面及び実施例を参照して本発明を詳細に説明する。なお、本稿で説明する実施形態は、本発明を説明するためのものであり、本発明を限定するものではない。
【０００８】
なお、本稿における「中央」、「横方向」、「上」、「下」、「左」、「右」、「垂直」、「水平」、「上面」、「底面」、「内」、及び「外」などの用語で示される方向・位置又は位置関係は、図示に基づいた方向・位置又は位置関係であり、本発明説明の便利や簡潔化を目的とするものに過ぎず、装置や素子が特定の方向・位置を持ち、特定の方向・位置で構成・作動しなければならないことを示し又は示唆するものではないため、本発明を限定するものと解釈されるべきではない。さらに、「第１」、「第２」などの用語は、説明のためのもので、相対的な重要性を示し又は示唆するもの、又は技術的特徴の数を暗黙的に示すものと解釈されるべきではない。したがって、「第１」及び「第２」で定義された特徴とは、１つ又は複数の当該特徴が明示的又は暗黙的に含まれることができる。
【０００９】
発明者らは、カメラなどの感光性デバイスを透明な表示パネルの下方に設けると、撮影された画像がぼやけてしまうことを発見した。発明者らは、この問題の原因について、電子機器の表示スクリーン本体の中に導電性配線が存在するため、外光がこれらの導電性配線を通過すると、回折現象が生じ、回折強度の分布が複雑で、回折縞が生じ、その結果、カメラなどの感光性デバイスの正常作動が影響されてしまうことを、研究により発見した。例えば、透明な表示領域の下に位置するカメラが作動する際に、外光は表示スクリーン内の導線材料配線を通過した後に明らかに回折し、カメラで撮影される画面が歪んでしまう。
【００１０】
上記の問題を解消するために、本発明の一例示的な実施例では、表示パネルを提供する。図１は、一例示的な実施例における表示パネルの断面図である。図１に示されるように、当該表示パネルは、基板１１０と、第１画素電極１２０と、画素定義層１３０と、分離柱１４０と、を含む。
【００１１】
基板１１０は、リジッド基板又はフレキシブル基板であってよい。例えば、リジッド基板の場合、ガラス基板、石英基板、又はプラスチック基板などの透明基板であってよく、フレキシブル基板の場合、フレキシブルポリイミド（Ｐｏｌｙｉｍｉｄｅ、ＰＩ）基板であってよい。
【００１２】
第１画素電極１２０は、基板１１０上に形成される。第１画素電極１２０は複数あり、基板１１０上に規則的に配列されている。本実施例において、基板１１０の、第１画素電極１２０が形成された側を上側とし、反対側を下側とする。本実施例において、表示パネルは、パッシブマトリックス有機発光ダイオード（Ｐａｓｓｉｖｅ−Ｍａｔｒｉｘ  Ｏｒｇａｎｉｃ  Ｌｉｇｈｔ−Ｅｍｉｔｔｉｎｇ  Ｄｉｏｄｅ、ＰＭＯＬＥＤ）表示パネルである。一例示的な実施例において、表示パネルの光透過率を向上させるために、表示パネルの各導電性配線、例えば第１画素電極１２０は、全て透明な導電性金属酸化物で構成される。一例として、第１画素電極１２０は、ＩＴＯ（インジウムスズ酸化物）又はインジウム亜鉛酸化物（ＩＺ０）で構成されてよい。さらに、高い光透過率を確保するとともに、各導電性配線の抵抗を低減するために、第１画素電極１２０は、アルミニウムドープ酸化亜鉛、銀ドープＩＴＯ、又は銀ドープＩＺ０などの材料で構成されてもよい。
【００１３】
本実施例において、上記の表示パネルは、第１画素電極１２０上に形成された発光構造層１５０と、発光構造層１５０上に形成された第２画素電極１６０とをさらに含む。一例示的な実施例において、表示パネルの光透過率を向上させるために、第２画素電極１６０は、透明な導電性金属酸化物で構成されてよい。一例として、第２画素電極１６０は、ＩＴＯ（インジウムスズ酸化物）又はインジウム亜鉛酸化物（ＩＺ０）で構成されてよい。さらに、高い光透過率を確保するとともに、各導電性配線の抵抗を低減するために、第２画素電極１６０は、アルミニウムドープ酸化亜鉛、銀ドープＩＴＯ、又は銀ドープＩＺ０などの材料で構成されてもよい。一例示的な実施例において、第１画素電極１２０はアノードであり、第２画素電極１６０はカソードである。
【００１４】
画素定義層１３０は、第１画素電極１２０上に形成されている。画素定義層１３０は、第１画素電極１２０の表面の一部を露出するための複数の画素開口部１３２を有する。各画素開口部１３２は、それぞれ一つの副画素領域を定義する。分離柱１４０は、画素定義層１３０上に、隣接する２つの第１画素電極１２０の間に設けられている。分離柱１４０は、図１に示すように、隣接する２つの副画素領域のカソードを分離するものである。分離柱１４０の表面は隣接する副画素領域の表面よりも高く、表示パネルの表面にカソードを形成する際に、分離柱１４０上に形成された分離カソード１６０ｂと、隣接する副画素領域のカソード（第２画素電極１６０）とは離れており、これにより、隣接する副画素領域のカソード間の分離が実現され、その結果、各副画素領域が正常に駆動されることが確保される。即ち、カソードの形状は、隣接する分離柱１４０間のギャップによって画定され、且つ、分離柱１４０の上面の形状と相補することで、一つの全面を構成する。
【００１５】
図２は、一例示的な実施例における第１種の分離柱の平面図である。図２に示すように、分離柱１４０は第１種の分離柱１４０ａを含む。第１種の分離柱１４０ａの延在方向において、第１種の分離柱１４０ａの幅は連続的に変化する。外光が第１種の分離柱１４０ａを通過すると、異なる最大幅の箇所で生じた回折縞の位置が異なるため、回折がそれほど明確でなくなり、回折改善の効果が収まる。
【００１６】
外光が分離柱を通過すると、回折現象が生じる。回折は、光波が障害物に遭うと元の直線から離れて伝わる物理現象である。具体的には、光波は、スリット、小さな穴、ディスクなどの障害物を通った後、さまざまな程度で、障害物の陰に回り込んで伝わっていく。外光が障害物としての分離柱を通ると、回折が生じ、その回折縞の位置は、各箇所の最大幅によって決まる。従来の分離柱は一般にストリップ状であり、その縦断面（即ち、基板１１０に垂直な断面）は逆台形構造である。具体的には、分離柱は、基板１１０に接する底面と、底面の反対側にある上面とを有する。分離柱は、上面から底面に向かって徐々に狭くなってくるため、分離柱の上面が最大幅を有する。上面は、長方形であり、延在方向に沿って一定の幅を有する（即ち、延長方向上の各箇所の幅は同じであり、延長方向は基板１１０に平行な方向である）。分離柱の幅の同じ箇所で生じた回折縞の位置が同じであるため、回折が明確となり、結局、その下方にある感光性素子の正常作動が影響され、例えば、カメラで撮影された画面が歪んでしまう。
【００１７】
上記の実施例における表示パネルによれば、延在方向において幅が連続的又は断続的に変化する第１種の分離柱を採用することで、最大幅が異なる箇所で生じた回折縞は位置が異なるため、従来の分離柱による複雑な回折強度分布が破壊され、回折がそれほど明らかではなくなり、回折改善の効果が収まる。
【００１８】
一例示的な実施例において、第１種の分離柱１４０ａの数は複数であってもよい。複数の第１種の分離柱１４０ａは、基板１１０上に並列に配置されている。第１種の分離柱１４０ａの幅は、５μｍから１００μｍまでの範囲内にある。第１種の分離柱１４０ａの最小幅は、製造方法によって決まる。製造方法が実現できるという前提の下、第１種の分離柱１４０ａの幅は、５μｍ以下とし、又は５μｍ未満とすることができる。隣接する２つの第１種の分離柱１４０ａ間の距離は、隣接する２つの副画素領域のカソードの寸法設計要求によって決まる。複数の第１種の分離柱１４０ａを基板１１０上に並列に配置することで、表示パネルの各箇所における回折を均一に改善することができ、表示パネル全体の回折を改善する目的を達成できる。
【００１９】
一例示的な実施例において、図１に示すように、分離柱１４０は、基板１１０に接する底面１４２と、底面１４２の反対側にある上面１４４とを含む。本実施例では、分離柱１４０の縦断面において、上面１４４の幅は底面１４２の幅以上である。この場合、同一の縦断面において、分離柱１４０の最大幅はいつも上面１４４にある。即ち、分離柱１４０は、高さ方向に沿って上面１４４から底面１４２に向かって段々狭くなってくる。したがって、上面１４４は、延在方向に沿って連続的に又は断続的に変化する幅を有する。
【００２０】
一例示的な実施例において、分離柱１４０の底面１４２は上面１４４に平行であり、同一断面において、底面１４２の幅は上面１４４の幅以下であるため、分離柱１４０全体は、上が広く下が狭い構造になっている。一例示的な実施例において、底面１４２が上面１４４とほぼ同じ形状を有するため、基板１１０に平行な任意の平面においても（即ち、分離柱１４０の異なる高さにおいて）、分離柱１４０は延在方向に連続的又は断続的に変化する幅を有することが確保され、これにより、光が分離柱１４０を通った後、明らかな回折現象が生じないことが確保される。
【００２１】
一例示的な実施例において、第１種の分離柱１４０ａは、それ自体の延在方向に沿って周期的に変化する幅を有する。即ち、第１種の分離柱１４０ａの幅は、不規則的に変化するものではなく、規則的かつ周期的に変化するものであるため、製造プロセス全体の困難性が低減できる。一例示的な実施例において、第１種の分離柱１４０ａの一つの幅変化サイクルは、一つの副画素領域に対応する。第１種の分離柱の上面の延在方向に沿った２つの側辺のうち、少なくとも一方は非直線形状を有する。非直線形状とは、折れ線、円弧、半円形、及び波形のうち少なくとも１種であってよい。
【００２２】
一例示的な実施例において、非直線形状は、同じ開口方向を有する複数の半円形の縁部が繋がることにより形成される。図２に示すように、画素への影響を低減し、画素の開口率を確保しながら画素の輝度が要求を満たすのを確保するために、半円形の開口部は、副画素領域１３０ａを向いて設けられている。本実施例において、半円の直径は画素の寸法によって決まる。画素が大きいほど、半円の直径は大きくなり、画素が小さいほど、半円の直径は小さくなる。上面の最小幅は、製造プロセスの極限能力によって決まる。半円形である非直線形状を採用すると、従来のストリップ状の分離柱の場合のように回折縞が一つの方向に拡散していくことなく、３６０度に亘って拡散していくため、回折がまったく明らかでなくなり、回折改善の効果が高い。そして、上面の、画素領域に対応する縁部領域を半円形にすることで、画素への影響が最小化になり、画素の開口率がより高くなり、輝度もより高くなる。
【００２３】
図３は、一例示的な実施例における第１種の分離柱の平面図であり、即ち、上面を示す模式図である。この場合、非直線形状は、複数の折れ線セグメントの縁部が繋がることにより形成されるため、第１種の分離柱の幅が延長方向に沿って変化することが確保され、回折現象が改善される。本実施例において、画素への影響を低減し、画素の開口率を確保しながら画素の輝度が要求を満たすのを確保するために、各折れ線セグメントの開口部は、それぞれ副画素領域を向いて設けられている。他の実施例において、各画素領域に対応する折れ線セグメントのそれぞれは、更に折れ線セグメントから構成されて鋸歯状の縁部に形成されてもよい。
【００２４】
一例示的な実施例において、非直線形状の側辺は、楕円などの形状を採用してもよく、又は図４に示すように、線分と弧とが交互に接続することにより形成された不規則な形状を採用しもよく、第１種の分離柱１４０ａが長さ方向に沿って変化する幅を有することを確保できればよい。これにより、従来のストリップ状の分離柱によって生じたスリット回折を確実に破壊でき、回折改善の効果を収められる。
【００２５】
本実施例において、図１に示すように、分離柱１４０は、底面１４２と上面１４４に繋がる２つの側面１４６をさらに含む。各側面１４６の基板１１０における投影は、上面１４４の側辺の基板１１０における投影と重なっている。即ち、側面１４６の形状は、上面１４４の側辺の形状及び底面１４２の側辺の形状によって決まる。例えば、上面１４４の側辺が折れ線セグメントによって構成された非直線形状である場合、側面１４６は、複数の平面が一定角度を成して繋がることにより形成される。上面１４４の側辺は半円形によって構成された非直線形状である場合、側面１４６は複数の円弧面が互いに繋がることにより構成され、且つ、円弧面の曲率半径は上面１４４の側辺である半円形の直径と同じである。
【００２６】
一例示的な実施例において、画素定義層１３０の各画素開口部１３２の縁部は曲線であり、且つ、互いに平行ではない。具体的には、画素開口部１３２の基板１１０における投影は、１つの図形ユニット又は２つ以上の図形ユニットが繋がることにより形成される。この図形ユニットは、円形、楕円形、又はダンベル状である。図５は、一例示的な実施例における画素定義層１３０の模式図であり、その上にダンベル状の画素開口部１３２が形成されている。
【００２７】
一例示的な実施例において、分離柱１４０は、第２種の分離柱１４０ｂをさらに含む。第２種の分離柱１４０ｂはストリップ状である。第２種の分離柱１４０ｂの上面は長方形であり、その縦断面は逆台形構造である。図６に示すように、第１種の分離柱１４０ａと第２種の分離柱１４０ｂは交互に配置されている。２種類の分離柱を交互に配置することで、表示パネル全体の各箇所での回折を一致させることができる。
【００２８】
一例示的な実施例において、表示パネルの分離柱はすべて第１種の分離柱１４０ａである。第１種の分離柱１４０ａそれぞれにおいて幅の異なる箇所で生じたスリット回折縞は、位置が異なるため、回折はあまり明らかでなくなり、回折改善の効果が収まる。
【００２９】
一例示的な実施例において、表示パネルは、透明又は半透過半反射型の表示パネルであってよい。表示パネルの透明は、光透過率の良い各層の材料を採用することで実現できる。例えば、表示パネル全体の光透過率が７０％以上となるように、表示パネルのいずれの層にも光透過率が９０％を超える材料を採用する。さらに、表示パネルのいずれの層にも光透過率９５％を超える材料を採用することで、表示パネルの光透過率をさらに高め、引いては表示パネル全体の光透過率を８０％以上とする。具体的には、例えばカソードやアノードなどの導電性配線は、ＩＴＯ、ＩＺＯ、Ａｇ＋ＩＴＯ、又はＡｇ＋ＩＺＯで構成されてよい。絶縁層の材料は、好ましく、ＳｉＯ２、ＳｉＮｘ、Ａｌ２Ｏ３などであり、画素定義層１３０は透過性の高い材料で構成される。
【００３０】
なお、表示パネルの透明は他の技術的手段によって実現されてもよく、上記の表示パネルの構造に適用できる。透明又は半透過半反射型の表示パネルは、作動状態にある場合、画面を正常に表示することができるが、一方、表示パネルが他の機能を要望されている場合、外光は、該表示パネルを透過して表示パネルの下に置かれた感光性デバイスなどに照射することができる。
【００３１】
本発明の一例示的な実施例は、表示スクリーンをさらに提供する。図７は、一実施例に係る表示スクリーンの模式図であり、当該表示スクリーンは、第１表示領域９１０と、第２表示領域９２０とを含む。第１表示領域９１０の光透過率は、第２表示領域９２０の光透過率より大きい。第１表示領域９１０の下方に、感光性デバイス９３０を配置することができる。第１表示領域９１０には、第１表示パネルが設けられている。当該第１表示パネルは、前述した任意の実施例に言及した表示パネルである。第２表示領域９２０には、第２表示パネルが設けられている。第１表示領域９１０及び第２表示領域９２０はいずれも、静的又は動的な画面を表示することに用いられる。第１表示領域９１０には、前述した実施例に係る表示パネルを採用したので、光が当該表示領域を通過する際に、明らかな回折現象が生じなく、これにより、第１表示領域９１０の下方に位置する感光性デバイス９３０が正常に作動することが確保される。なお、第１表示領域９１０は、感光性デバイス９３０が作動していない場合、動的又は静的な画面を正常に表示し、感光性デバイス９３０が動作している場合、非表示状態になることができ、これにより、感光性デバイス９３０が表示パネルを通じて光を正常に集められることが確保される。他の実施例において、第１表示領域９１０の光透過率と第２表示領域９２０の光透過率とが同じであってもよく、これにより、表示パネル全体の光透過の均一性が高く、表示パネルの良好な表示効果が確保される。
【００３２】
一実施例において、第１表示領域９１０に設けられた第１表示パネルは、ＰＭＯＬＥＤ表示パネル又はアクティブマトリクス有機発光ダイオード（Ａｃｔｉｖｅ−Ｍａｔｒｉｘ  Ｏｒｇａｎｉｃ  Ｌｉｇｈｔ−Ｅｍｉｔｔｉｎｇ  Ｄｉｏｄｅ、ＡＭＯＬＥＤ）表示パネルであり、第２表示領域９２０に設けられた第２表示パネルはＡＭＯＬＥＤ表示パネルであって、これにより、ＰＭＯＬＥＤ表示パネルとＡＭＯＬＥＤ表示パネルから構成されるベゼルレススクリーンが形成される。
【００３３】
本発明の他の実施例は、表示端末をさらに提供する。図８は、一実施例における表示端末の模式図であり、当該表示端末は、機器本体８１０と表示スクリーン８２０とを含む。表示スクリーン８２０は、機器本体８１０上に設けられ、当該機器本体８１０と互いに接続されている。ここで、表示スクリーン８２０は、前述した任意の実施例の表示スクリーンであってよく、静的又は動的な画面を表示することに用いられる。
【００３４】
図９は、一実施例における機器本体８１０の模式図である。本実施例において、機器本体８１０には、ノッチ領域８１２及び非ノッチ領域８１４が設けられてもよい。ノッチ領域８１２には、カメラ９３０、光センサなどの感光性デバイスを配置することができる。この場合、カメラ９３０や光センサなど上記の感光性デバイスが第１表示領域を通じて外光を集めることなどをできるように、表示スクリーン８２０の第１表示領域の表示パネルは、ノッチ領域８１２に対応して取り付けられる。第１表示領域の表示パネルは、外光が第１表示領域を透過することにより生じた回折現象を効果的に改善されるため、表示機器のカメラ９３０で撮影された画像の品質が効果的に向上でき、回折による撮影画像の歪みが回避するとともに、光センサによる外光検知の精度と感度が向上できる。
【００３５】
上記の電子機器は、携帯電話、タブレット、パームトップパソコン、ｉＰｏｄ（登録商標）などのデジタル機器であってよい。
【００３６】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００３７】
上述した実施例は、本発明のいくつかの実施形態を示したものにすぎず、その記述が具体かつ詳細であるが、本発明の範囲を限定するものと解釈されるべきではない。なお、当業者にとって、本発明の趣旨から逸脱しないかぎり、若干の変形及び改良を行うことができ、これらもすべて本発明の保護範囲内にある。したがって、本発明の保護範囲は、特許請求の範囲に準ずるべきである。
【図１】
2021503631.tif 000003
【図２】
2021503631.tif 000004
【図３】
2021503631.tif 000005
【図４】
2021503631.tif 000006
【図５】
2021503631.tif 000007
【図６】
2021503631.tif 000008
【図７】
2021503631.tif 000009
【図８】
2021503631.tif 000010
【図９】
2021503631.tif 000011
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
表示パネルであって、
基板と、
前記基板上に設けられた第１画素電極と、
前記第１画素電極の前記基板から離れた側に設けられており、前記第１画素電極の表面の一部を露出するための複数の画素開口部を含む画素定義層と、
前記画素定義層の前記第１画素電極から離れた側に設けられた複数の第１種の分離柱と、
を含み、
前記第１種の分離柱の延在方向は前記基板に平行であり、当該延在方向において、前記第１種の分離柱の幅は連続的又は断続的に変化し、前記幅は、前記第１種の分離柱の前記基板における投影の、前記第１種の分離柱の延在方向に垂直な方向の寸法である、ことを特徴とする表示パネル。
【請求項２】
複数の前記第１種の分離柱が前記基板に並列に配置されており、及び／又は、前記表示パネルはＰＭＯＬＥＤ表示パネルであり、及び／又は、前記第１画素電極の材料は、インジウムスズ酸化物、インジウム亜鉛酸化物、銀ドープインジウムスズ酸化物、銀ドープインジウム亜鉛酸化物のうち少なくとも１つから選択されるものである、ことを特徴とする請求項１に記載の表示パネル。
【請求項３】
複数の第２種の分離柱をさらに含み、
前記第２種の分離柱は、ストリップ状であり、前記第１種の分離柱と間隔をおいて設けられている、ことを特徴とする請求項１に記載の表示パネル。
【請求項４】
前記第１種の分離柱は、前記画素定義層に接する底面と、前記底面の反対側に設けられた上面とを含み、前記第１種の分離柱の延在方向に垂直な方向において、前記上面の幅は前記底面の幅以上であり、前記上面は、前記第１種の分離柱の延在方向に沿って変化する幅を有する、ことを特徴とする請求項１に記載の表示パネル。
【請求項５】
前記第１種の分離柱の上面の、前記第１種の分離柱の延在方向に沿った２つの側辺のうち少なくとも一方は、折れ線、円弧、半円形、及び波形のうち少なくとも１つの形状を有する、ことを特徴とする請求項４に記載の表示パネル。
【請求項６】
前記底面は前記上面に平行であり、前記底面の形状は前記上面の形状とほぼ同じである、ことを特徴とする請求項５に記載の表示パネル。
【請求項７】
前記側辺の形状は、開口方向の同じである複数の半円形の縁部が繋がることにより形成され、前記縁部の開口部は副画素領域を向いている、ことを特徴とする請求項５に記載の表示パネル。
【請求項８】
前記第１画素電極の前記基板から離れた側に設けられた発光構造層と、前記発光構造層の前記第１画素電極から離れた側に設けられた第２画素電極とをさらに含み、前記第２画素電極の材料は、インジウムスズ酸化物、インジウム亜鉛酸化物、銀ドープインジウムスズ酸化物、銀ドープインジウム亜鉛酸化物のうち少なくとも１つから選択されるものである、ことを特徴とする請求項１に記載の表示パネル。
【請求項９】
表示スクリーンであって、
画面を表示するための第１表示領域と、
前記第１表示領域に設けられた請求項１〜８のいずれか一項に記載の表示パネルと、
を含む、ことを特徴とする表示スクリーン。
【請求項１０】
表示端末であって、
デバイス領域を有する機器本体と、
前記機器本体上に設けられた請求項９に記載の表示スクリーンと、
を含み、
前記デバイス領域は前記第１表示領域の下方に位置し、前記デバイス領域に感光性デバイスが設けられている、ことを特徴とする表示端末。
【国際調査報告】
2021503631.tif 000012
2021503631.tif 000013
2021503631.tif 000014
2021503631.tif 000015